(57)【要約】【課題】無風状態でも旗１０を旗めかせることを目的とする【解決手段】空気吹き付けパイプ１と旗１０を一体化し、複数の空気孔３を旗１０に向かって吹き付ける事により、無風状態でも旗めく旗１０を掲揚出来、より効率的に旗めかせる。また、圧縮空気が拡散しないように空気孔３の両側にフェンス２を設け効率良い風を送る。【選択図】図１
2018072786.tif 000002
【特許請求の範囲】
【請求項１】
旗とその旗とほぼ同程度の長さを有する空気吹き出し付きのパイプと一体化し、この吹き出し付きのパイプに複数の空気孔を設け、コンプレッサー及びホースを介して圧縮空気を旗に向かって吹き付けることにより、無風状態でも旗めく旗を掲揚することを特長とする旗掲揚機。
【請求項２】
前記、空気吹き付きのパイプの空気孔より吹き出す圧縮空気が拡散しないために空気孔の両側にフェンスを設け効率の良い風を送る事が出来ることを特長とする請求項１記載の掲揚機。
【請求項３】
旗に向かって吹き付ける圧縮空気は空気吹き出し付きパイプにホースを介してコンプレッサーから送り込まれて旗めく旗が掲揚され、これらがジョイントで１セットになり、移動・セッティングを可能としたことを特長とする請求項１または２のいずれかに記載の旗掲揚機。
【発明の詳細な説明】
【技術分野】
【０００１】      本発明は無風状態であっても旗めかせる事の出来る旗掲揚機に関する。
【背景技術】
【０００２】      無風状態での旗を旗めかせる掲揚機は旗を掲揚するポールの空洞へ圧縮空気をポール先端部へ送り、空気孔を設け旗に風を吹き付け、旗を旗めかせることが知られている（例えば特許文献１あるいは３を参照）。
【先行技術文献】
【特許文献】
【０００３】
【特許文献１】特開  ２００４−２４０１７３号公報
【特許文献２】実用新案登録  第３００４２０８号公報
【特許文献３】実開平  ７−８８８８号公報
【発明の概要】
【発明が解決しようとする課題】
【０００４】      従来の旗掲揚は屋外での無風状態の国旗等の旗の掲揚は惨めなものでポールに国旗が絡まり、国旗の図柄さえ解らない時もある。
又、室内は何時も無風状態なので色々考えられてはいるが、天井からワイヤーで水平に吊るさられた横棒に国旗を縦長に縛って吊るされているだけだった。【０００５】      すでに提案されている旗めく旗の掲揚は掲揚ポールの空洞に圧縮空気を送り、ポール先端部に空気孔を設け、掲揚した旗に向かって風を吹き付ける仕組で掲揚旗がうまく吹き出し口の中央に来るか疑問に思われる。
風が旗の中央でなければ均整のとれた美しい旗めく旗の掲揚は期待出来ないと思われる。【０００６】      近代オリンピック等の国際大会が多く開催されている屋外・室内共に複数の国旗を同時に掲揚しなければならない時が多くあります。
【課題を解決するための手段】
【０００７】      本発明に係る旗掲揚機は旗とその旗とほぼ同程度の長さを有する空気吹き出し付きパイプと一体化し、この吹き出し付きパイプには複数の空気孔を設け、コンプレッサーおよびホースを介して圧縮空気を旗に向かって吹き付けることにより、無風状態でも旗めく旗を掲揚することを特長とするものである。【０００８】      さらに前記空気吹き出し付きパイプの空気孔より吹き出す圧縮空気が拡散しないために空気孔の両側にフェンスを設け効率の良い風を送る事が出来ることを特長とするものである。【０００９】      さらに旗に向かって吹き付ける圧縮空気は空気吹き出し付きパイプはホースを介して送り込まれる圧縮空気によって旗めく旗が掲揚され、これらがジョイントで１セットで構成され、移動・セッティングを可能としたことを特長とするものである。【００１０】      本発明のパイプにホースを接続し、圧縮空気を送りながら掲揚することにより旗めきながら上る旗を見せることが出来る。
この事は屋外・室内共に実施出来ることを特長とするものである。
【発明の効果】
【００１１】      第１の効果は旗と空気吹き出し付きパイプが一体化され当パイプ中央に取り付けられた旗に向かって両側から空気孔より圧縮空気が吹き付けられ旗めく旗の掲揚が出来る。なお圧縮空気が効率よく当たるように空気孔の外側にフェンスを設けてあり美しい旗めく旗の掲揚が出来る。【００１２】      第２の効果は本発明のパイプ・ホース・コンプレッサーと３点セットになっているために移動・セッティング等も簡単で短時間で旗めく旗の掲揚が出来る。【００１３】      第３の効果はオリンピック等の国際大会で同時に複数の国旗を掲揚しなければならない時でも二又あるいは三又のジョイントを使う事で十分対応出来る。【００１４】      第４の効果は特に室内の無風状態での国旗掲揚では今まではワイヤーで吊るした横棒に国旗を縦長に横棒に縛って吊るした状態で掲揚していたものを本発明のパイプをワイヤーで吊るした横棒に支柱を使い縦にセットする事により、国旗が正常の横長の旗めく旗を掲揚する事が出来る。【００１５】      第５の効果は屋外・室内共無風状態での国旗掲揚では今までの先行技術では考えられない掲揚時に旗めかせながら国旗を上げる事が出来る。
【図面の簡単な説明】
【００１６】
【図１】本発明パイプの掲揚機・要部パイプを示す正面図及び旗正面図
【図２】本発明パイプの掲揚機・旗を取り付けた横面図
【図３】本発明パイプでの旗を掲揚した全面図
【発明を実施するための形態】
【００１７】      以下本発明の実態を図１〜図３に基づいて説明する。
【００１８】      図１は本発明の正面図で旗１０とほぼ同程度の長さを有する吹き出し付きパイプ１とからなり、この吹き出し付きパイプ１は旗１０を正面中央の小棒８に縛ったり固定したりする様々の手段で一体化して、両側に開けた複数の空気孔３より圧縮空気が旗１０に向かって吹き付けて旗１０を旗めかせる旗掲揚機でより効率的に圧縮空気を旗１０に送るために空気孔３の外側・両サイドにフェンス２を取り付ける。
【００１９】      空気吹き出し付きパイプ１は軽金属あるいはカーボンファイバー等の軽くて丈夫な素材を使い掲揚ポール１２に旗を上げる時の負担を軽減する。
本発明のパイプ１の下部にはホース５にワンタッチで接続出来るジョイント４が付いており、移動・セッティングもスムーズに行うことが出来る。
本発明のパイプ１は屋外・室内共に使用出来る。
【００２０】      図２は本発明に係る吹き出し付きパイプ１に旗１０を取り付けた横面図で、本発明のパイプ１はコンプレッサー６によって生成される圧縮空気をホース５に送り、吹き出し付きパイプ１の空気孔３より吹き出した圧縮空気はフェンス２によって効率の良い風を旗１０に送り、旗めく旗１０が出来る。
【００２１】      図２のコンプレッサー６は掲揚ポール１２の高さ本発明のパイプ１までの距離・掲揚する旗１０の数によってコンプレッサー６の能力を考え、その時々に合ったコンプレッサー６を選ぶ必要がある。
又、屋外で電源がない時でも自家発電機での対応が出来る。
【００２２】      図３は屋外・室内の空気吹き出し付きパイプ１及びホース５をコンプレッサー６をジョイント４で接続し、旗めく旗の掲揚全体図。
【００２３】      図３の室内での旗の掲揚では今までは天井から吊るした横棒９に国旗を縦に縛って吊るしていただけであったが、空気吹き出し付きパイプ１を横棒９に支柱を使い縦に取り付ける事により国旗が横長の正常なかたちの旗めく国旗掲揚が出来る。
【００２４】      図３の国際大会等で同時に複数の旗を掲揚しなければならない時は二又あるいは三又のジョイント７を使って対応する。
【００２５】      図３の屋外の掲揚ポール１２に本発明のパイプ１に縛られた国旗が旗めきながら上って行く姿１３で同様に室内でも旗めきながら上がって行く旗を見せる事が出来る。
【００２６】      屋外・室内共に従来の設備を利用して旗めく旗の掲揚が出来る。
【符号の説明】
【００２７】      １．  空気吹き出し付きパイプ
２．  フェンス
３．  空気孔
４．  ジョイント
５．  ホース
６．  コンプレッサー
７．  二又および三又ジョイント
８．  旗を縛るための小棒
９．  天井からワイヤーで吊るされた横棒
１０．旗（国旗）
１１．支柱
１２．掲揚ポール
１３．旗めきながら上って行く旗
【図１】
2018072786.tif 000003
【図２】
2018072786.tif 000004
【図３】
2018072786.tif 000005
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
旗とその旗とほぼ同程度の長さを有するパイプを結合し、パイプには空気吹き出しの複数の空気孔を設け、かつ空気孔の両外側にフェンスを設けて、コンプレッサー及びホースを介して圧縮空気を前記複数の空気孔から旗に向って吹き付けることにより無風状態でも旗めく旗が掲揚され、ホースに二叉あるいは三叉のホース用のジョイントが取り付けられ、屋外・室内でも同時に複数の旗を旗めかせながら掲揚することが出来ることを特徴とする旗掲揚機。
【請求項２】
室内競技場での国旗掲揚用に天井からワイヤーで吊り下げられた横棒に床に設置したコンプレッサーからホースが取り付けられ横棒にはパイプが縦に取り付けられ、正常な形の横長の国旗を旗めかせながら掲揚することが出来ることを特徴としている請求項１記載の旗掲揚機。